(57)【要約】【課題】カバータンパ検知機能とウォールタンパ検知機能とを兼ね備えた装置でありながら、施工性に優れ、かつ部品数を少なく構成することが可能な装置を提供する。【解決手段】作動部５１を有するタンパスイッチ５が取り付けられ、シャーシ２の収納空間２２内でシャーシ２に設けられたタンパスイッチ支持部材１１と、カバー３に固定され、作動部５１を一方向に駆動してタンパスイッチ５を非検知状態にする駆動部材２７とを備え、作動部５１が駆動部材２７によって駆動されている状態のタンパスイッチ５が、一方向Ｘ１に少なくとも一定範囲移動自在となるように、タンパスイッチ支持部材１１がシャーシ２に設けられ、さらに、装置支持部材Ｋに固定された規制部材３４であって、駆動部材２７とは反対側からタンパスイッチ支持部材１１に当接して、タンパスイッチ５の一方向Ｘ１への移動を規制する規制部材３４を備える。【選択図】図８Ｂ
2017194920.tif 000002
【特許請求の範囲】
【請求項１】
装置支持部材に設置され、タンパ検知の機能を備えた装置であって、
開口を持つ収納空間を有し、前記装置支持部材に取り付けられるシャーシと、
このシャーシの前記開口を覆うカバーと、
作動部を有するタンパスイッチと、
前記タンパスイッチが取り付けられたタンパスイッチ支持部材であって、前記収納空間内で前記シャーシに設けられたタンパスイッチ支持部材と、
前記カバーまたはシャーシに設けられ、前記作動部を一方向に駆動してタンパスイッチを非検知状態にする駆動部材とを備え、
前記作動部が前記駆動部材によって駆動されている状態の前記タンパスイッチが、前記一方向に少なくとも一定範囲移動自在となるように、前記タンパスイッチ支持部材が前記シャーシに設けられ、
さらに、
前記装置支持部材または前記カバーに固定された規制部材であって、前記駆動部材とは反対側から前記タンパスイッチ支持部材に当接して、前記タンパスイッチの前記一方向への移動を規制する規制部材を備え、
前記駆動部材による駆動が解除されることで、前記タンパスイッチを反転させて検知状態にするタンパ検知機能付き装置。
【請求項２】
請求項１に記載のタンパ検知機能付き装置において、
前記駆動部材が、前記作動部を一方向に押圧して前記タンパスイッチを非検知状態にする押圧部材であり、
前記作動部が前記駆動部材によって押圧されている状態の前記タンパスイッチが、前記一方向に少なくとも一定範囲移動自在であり、
前記駆動部材による押圧が解除されることで、前記タンパスイッチを反転させて検知状態にするタンパ検知機能付き装置。
【請求項３】
請求項２に記載のタンパ検知機能付き装置において、
前記作動部の先端が、押圧力によって後退し、押圧力が解除されると復元するタンパ検知機能付き装置。
【請求項４】
請求項１から３のいずれか一項に記載のタンパ検知機能付き装置において、さらに、
当該装置の動作に必要な電子部品が搭載された回路基板が、前記シャーシに設けられているタンパ検知機能付き装置。
【請求項５】
請求項１から４のいずれか一項に記載のタンパ検知機能付き装置において、
前記タンパスイッチ支持部材が、その一端部を支点として前記タンパスイッチを前記一方向とその逆方向に移動させるヒンジ運動をするように前記シャーシに設けられているタンパ検知機能付き装置。
【請求項６】
請求項１から４のいずれか一項に記載のタンパ検知機能付き装置において、
前記タンパスイッチ支持部材が、前記シャーシの底面に対して垂直な方向に並進移動するように前記シャーシに設けられているタンパ検知機能付き装置。
【請求項７】
請求項１から６のいずれか一項に記載のタンパ検知機能付き装置において、さらに、
弾性体からなり、前記規制部材によって前記タンパスイッチの前記一方向への移動が規制されている間、収縮してその復元力により前記一方向に前記タンパスイッチ支持部材を押圧する補助押圧部材を備えた、タンパ検知機能付き装置。
【請求項８】
請求項１から６のいずれか一項に記載のタンパ検知機能付き装置において、
当該装置が人体を検知する防犯センサにおける装置である、タンパ検知機能付き装置。
【発明の詳細な説明】
【技術分野】
【０００１】
本発明は、タンパ（いたずらなどの不正行為）を検知する機能を備えた装置に関する。
【背景技術】
【０００２】
従来から、屋外に設置される防犯センサには、不正にそのカバーが開けられたことを検知するために、いわゆるカバータンパ検知機能が備えられている。この機能に加えて、防犯センサ自体が設置個所から取り外されたことを検知する、いわゆるウォールタンパ検知機能も、防犯センサの持ち去りを防止するためには必要である。カバータンパ検知機能とウォールタンパ検知機能とを兼ね備えるために、種々の機構が提案されている。
【０００３】
特許文献１に記載された図１１Ａに示す装置１０１では、シャーシ１０２にねじ体１１３で固定された基板１１１の２つの主面それぞれに、第１および第２のタンパスイッチ１０５ａ，１０５ｂが設けられている。装置１０１が設置されている間、第１のタンパスイッチ１０５ａの作動部１５１が、カバー１０３に取り付けられた駆動部材１２７によって、押圧されている。また、第２のタンパスイッチ１０５ｂの作動部１５１が、シャーシ１０２の開口１０２ｂを介して装置支持部材Ｋによって押圧されている。
【０００４】
図１１Ｂに示すようにカバー１０３がシャーシ１０２から取り外されると、第１のタンパスイッチ１０５ａの作動部１５１から駆動部材１２７が離れて、カバータンパが検知される。また、図１１Ｃに示すように装置１０１が装置支持部材Ｋから取り外されると、第２のタンパスイッチ１０５ｂの作動部１５１が装置支持部材Ｋから離れて、ウォールタンパが検知される。
【０００５】
特許文献２に記載された図１２Ａ示す装置２０１では、基板２１１がねじ体２１３でカバー２０３に固定されている。この装置２０１では、基板２１１のシャーシ２０２側の面のみにタンパスイッチ２０５が設けられている。装置２０１が設置されている間、タンパスイッチ２０５の作動部２５１が、シャーシ２０２の開口２０２ｂを介して装置支持部材Ｋによって押圧されている。
【０００６】
図１２Ｂに示すようにカバー２０３がシャーシ２０２から取り外されると、タンパスイッチ２０５の作動部２５１が装置支持部材Ｋから離れて、カバータンパが検知される。また、図１２Ｃに示すように装置２０１が装置支持部材Ｋから取り外された場合も、タンパスイッチ２０５の作動部２５１が装置支持部材Ｋから離れて、ウォールタンパが検知される。
【先行技術文献】
【特許文献】
【０００７】
【特許文献１】特許第２８９６５８５号公報
【特許文献２】特開平５−０５４２６９号公報
【特許文献３】米国特許第７００４７８４号明細書
【発明の概要】
【発明が解決しようとする課題】
【０００８】
特許文献１の装置１０１では、２つのタンパスイッチが設けられるため、コストがかかる。これに対して、特許文献２の装置２０１ではタンパスイッチは１つだけである。しかし、基板２１１がカバー２０３に設けられているため、装置支持部材Ｋに敷設された配線やシャーシ２０２に保持される電池からの配線がカバー２０３に接続される。そうすると、装置の設置時やメンテナンス時の施工性が損なわれる。図１３Ａに示す特許文献３の装置３０１でも基板３１１がカバー３０３に設けられているが、シャーシ３０２の端子台３４７に、基板３１１から延出する多数のピン３４８（図示では１つ）が差し込まれて電気接続される。シャーシ３０２は、複数のねじ体３９３で装置支持部材Ｋに取り付けられている。端子台３４７および複数のねじ体３９３が取り付けられたシャーシ３０２の固定部分３０２ａは、シャーシ３０２の背壁３２１に切り込まれたノッチ３２９によって囲まれている。
【０００９】
図１３Ｂに示すようにカバー３０３がシャーシ３０２から取り外されると、ピン３４８が端子台３４７から抜けて、カバータンパが検知される。また、図１３Ｃに示すように装置３０１が装置支持部材Ｋから取り外されると、固定部分３０２ａは装置３０３から分離して、装置支持部材Ｋに固定されたままになる。そのため、ピン３４８が端子台３４７から抜ける。これにより、ウォールタンパが検知される。端子台３４７およびピン３４８を採用することでカバー２０３への配線が不要になるため、施工性は向上する。しかし、装置３０１には端子台３４７と複数の電気接続ピン３４８が必要であるため、コストが増大する。
【００１０】
そこで、本発明は、カバータンパ検知機能とウォールタンパ検知機能とを兼ね備えた装置でありながら、施工性に優れ、かつ部品数を少なく構成することが可能な装置を提供することを目的とする。
【課題を解決するための手段】
【００１１】
上記目的を達成するために、本発明の一構成にかかるタンパ検知機能付き装置は、装置支持部材に設置され、タンパ検知の機能を備えた装置であって、開口を持つ収納空間を有し、前記装置支持部材に取り付けられるシャーシと、このシャーシの前記開口を覆うカバーと、作動部を有するタンパスイッチと、前記タンパスイッチが取り付けられたタンパスイッチ支持部材であって、前記収納空間内で前記シャーシに設けられたタンパスイッチ支持部材と、前記カバーまたはシャーシに設けられ、前記作動部を一方向に駆動してタンパスイッチを非検知状態にする駆動部材とを備え、前記作動部が前記駆動部材によって駆動されている状態の前記タンパスイッチが、前記一方向に少なくとも一定範囲移動自在となるように、前記タンパスイッチ支持部材が前記シャーシに設けられ、さらに、前記装置支持部材または前記カバーに固定された規制部材であって、前記駆動部材とは反対側から前記タンパスイッチ支持部材に当接して、前記タンパスイッチの前記一方向への移動を規制する規制部材を備え、前記駆動部材による駆動が解除されることで、前記タンパスイッチを反転させて検知状態にする。なお、前記駆動部材による駆動が解除されるのは、前記カバーの前記シャーシからの取外しおよび前記シャーシの前記装置支持部材からの取外しによる。
【００１２】
この装置によれば、タンパスイッチが一方向に少なくとも一定範囲移動自在であるため、規制部材による規制がなくなると、タンパスイッチが前記一方向に移動できる。これによって、駆動部材によるその一方向への駆動が解除されてタンパスイッチが反転され、検知状態になる。したがって、駆動部材がタンパスイッチから離れて駆動が解除することによるタンパ検知に加えて、タンパスイッチが前記一方向に移動することでも駆動部材による駆動が解除されてタンパが検知される。このようにして、タンパスイッチが１つだけにもかかわらず、ウォールタンパ検知機能とカバータンパ検知機能とが兼ね備えられる。さらに、タンパスイッチ支持部材はカバーではなくシャーシに設けられているため、施工性が損なわれることがなく、配線のための端子台やピンなどが不要である。
【００１３】
好ましい実施形態においては、前記駆動部材が、前記作動部を一方向に押圧して前記タンパスイッチを非検知状態にする押圧部材であり、前記作動部が前記駆動部材によって押圧されている状態の前記タンパスイッチが、前記一方向に少なくとも一定範囲移動自在であり、前記駆動部材による押圧が解除されることで、前記タンパスイッチを反転させて検知状態にする。この構成によれば、作動部が駆動部材によって押圧されている状態のタンパスイッチが、一方向（押圧方向）に少なくとも一定範囲移動自在であるため、規制部材による規制がなくなると、駆動部材によって押圧されたタンパスイッチが押圧方向に移動する。したがって、駆動部材による押圧が確実に解除されてタンパスイッチが反転させられて検知状態になる。
【００１４】
代替の実施形態においては、前記駆動部材が、前記作動部を一方向から接触してすることでタンパスイッチを非検知状態にし、前記作動部が前記駆動部材によって接触されている状態の前記タンパスイッチが、前記一方向に少なくとも一定範囲移動自在であり、前記駆動部材が前記作動部に対して非接触になることで、前記タンパスイッチを反転させて検知状態にする。
【００１５】
好ましい実施形態においては、前記作動部の先端が、押圧力によって後退し、押圧力が解除されると復元する。この構成によれば、規制部材による規制がなくなると、後退していた作動部の先端が復元して前進しようとするが、タンパスイッチは押圧方向へ一定範囲移動自在であるため、タンパスイッチ自体が押圧方向へ移動する。これにより、タンパスイッチが反転させられて非検知状態から検知状態になる。
【００１６】
好ましい実施形態によれば、さらに、当該装置の動作に必要な電子部品が搭載された回路基板が、前記シャーシに設けられている。この構成によれば、回路基板がシャーシに設けられているため、施工性が損なわれることがなく、配線のための端子台やピンなどが不要である。また、タンパスイッチ支持部材もシャーシに設けられているため、回路基板とタンパスイッチ支持部材との間の接続が施工性を損なうことはない。特に、タンパスイッチ支持部材に電子部品としてタンパスイッチのみが設けられている場合、回路基板とタンパスイッチ支持部材との間の接続は簡易である。
【００１７】
好ましい実施形態においては、前記タンパスイッチ支持部材が、その一端部を支点として前記タンパスイッチを前記一方向とその逆方向に移動させるヒンジ運動をするように前記シャーシに設けられている。この構成によれば、ヒンジ運動によって、一方向（押圧方向）にタンパスイッチが一定範囲移動自在になる。
【００１８】
別の好ましい実施形態においては、前記タンパスイッチ支持部材が、前記シャーシの底面に対して垂直な方向に並進移動するように前記シャーシに設けられている。この構成によれば、並進移動によって、一方向（押圧方向）にタンパスイッチが一定範囲移動自在になる。
【００１９】
好ましい実施形態においては、さらに、弾性体からなり、前記規制部材によって前記タンパスイッチの前記一方向への移動が規制されている間、収縮してその復元力により前記一方向に前記タンパスイッチ支持部材を押圧する補助押圧部材を備える。この構成によれば、補助押圧部材がタンパスイッチ支持部材を押圧するため、規制部材による規制が解除された際に、タンパスイッチが確実に駆動部材から離れる。
【００２０】
好ましくは、当該装置が人体を検知する防犯センサにおける装置である。
【発明の効果】
【００２１】
本発明の装置によれば、カバータンパ検知機能とウォールタンパ検知機能とを兼ね備え、施工性に優れ、かつ部品数を少なく構成することが可能である。
【図面の簡単な説明】
【００２２】
【図１】本発明の第１から３の実施形態に係るタンパ検知機能付き装置を含む防犯システムを示す斜視図である。
【図２】図１のタンパ検知機能付き装置の斜視図である。
【図３】図１のタンパ検知機能付き装置の電源部カバーを取外した状態の斜視図である。
【図４】図１のタンパ検知機能付き装置の電源部カバーの背面図である。
【図５】図３のタンパ検知機能付き装置のＶ−Ｖ線から見た断面図であって、第１の実施形態に係るタンパ検知機能付き装置の断面図である。
【図６Ａ】図５のタンパ検知機能付き装置のＶＩ−ＶＩから見た断面図であるが、タンパスイッチ支持部材および規制部材の図示を省略した図である。
【図６Ｂ】図５のタンパ検知機能付き装置のＶＩ−ＶＩから見た断面図である。
【図７】図５のタンパ検知機能付き装置のタンパ検知用空間部分を拡大した拡大断面図である。
【図８Ａ】図５のタンパ検知機能付き装置の断面図を模式的に示した図であって、設置された装置を示す断面模式図である。
【図８Ｂ】図８Ａのタンパ検知機能付き装置のカバータンパが検知される様子を示す断面模式図である。
【図８Ｃ】図８Ａのタンパ検知機能付き装置のウォールタンパが検知される様子を示す断面模式図である。
【図９Ａ】図３のタンパ検知機能付き装置のＶ−Ｖ線から見た断面図であって、第２の実施形態に係るタンパ検知機能付き装置の断面図を模式的に示し、設置された装置を示す断面模式図である。
【図９Ｂ】図９Ａのタンパ検知機能付き装置のカバータンパが検知される様子を示す断面模式図である。
【図９Ｃ】図８Ａのタンパ検知機能付き装置のウォールタンパが検知される様子を示す断面模式図である。
【図１０Ａ】図３のタンパ検知機能付き装置のＶ−Ｖ線から見た断面図であって、第３の実施形態に係るタンパ検知機能付き装置の断面図を模式的に示し、設置された装置を示す断面模式図である。
【図１０Ｂ】図１０Ａのタンパ検知機能付き装置のカバータンパが検知される様子を示す断面模式図である。
【図１０Ｃ】図１０Ａのタンパ検知機能付き装置のウォールタンパが検知される様子を示す断面模式図である。
【図１１Ａ】従来のタンパ検知機能付き装置の断面図を模式的に示した図であって、設置された装置を示す断面模式図である。
【図１１Ｂ】図１１Ａのタンパ検知機能付き装置のカバータンパが検知される様子を示す断面模式図である。
【図１１Ｃ】図１１Ａのタンパ検知機能付き装置のウォールタンパが検知される様子を示す断面模式図である。
【図１２Ａ】別の従来のタンパ検知機能付き装置の断面図を模式的に示した図であって、設置された装置を示す断面模式図である。
【図１２Ｂ】図１２Ａのタンパ検知機能付き装置のカバータンパが検知される様子を示す断面模式図である。
【図１２Ｃ】図１２Ａのタンパ検知機能付き装置のウォールタンパが検知される様子を示す断面模式図である。
【図１３Ａ】さらに別の従来のタンパ検知機能付き装置の断面図を模式的に示した図であって、設置された装置を示す断面模式図である。
【図１３Ｂ】図１３Ａのタンパ検知機能付き装置のカバータンパが検知される様子を示す断面模式図である。
【図１３Ｃ】図１３Ａのタンパ検知機能付き装置のウォールタンパが検知される様子を示す断面模式図である。
【発明を実施するための形態】
【００２３】
以下、本発明の各実施形態を図面に基づいて説明する。
図１に、本発明の第１実施形態に係るタンパ検知機能付き装置を含むシステムＳを示す。このシステムＳは、人体などを検知して検知信号を出力する防犯センサであって、投光器１Ａと、この投光器１Ａと相対向して配置された受光器１Ｂとを備えたＡＩＲ型（能動型赤外線方式）である。
【００２４】
投光器１Ａおよび受光器１Ｂは、それぞれポールや壁などの装置支持部材Ｋ，Ｋに装着される。なお、本明細書において、特段に断りがない限り、投光器１Ａおよび受光器１Ｂにおける方向は、これらが装置支持部材Ｋに装着された状態を基準とする。また、投光器１Ａおよび受光器１Ｂの前後方向Ｘについては、対向する方向を前方向Ｘ１とし、その逆方向を後方向Ｘ２とする。防犯センサＳは、投光器１Ａと受光器１Ｂを結ぶほぼ直線的な区域である警戒区域における物体を検知する。防犯センサＳでは、投光器１Ａおよび受光器１Ｂは、それぞれ同様の構造を有し、いずれもが本実施形態に係るタンパ検知機能付き装置１に該当する。なお、本実施形態では、投光器１Ａおよび受光器１Ｂを備えたＡＩＲ型の防犯センサＳについて説明しているが、単なる例示に過ぎず、ＰＩＲ型などいかなる防犯センサであってもよい。また、本タンパ検知機能付き装置は、防犯センサ以外のシステムに構成されてもよい。
【００２５】
図２に示すように、装置１は、ケースＣを備える。このケースＣは、上下方向Ｚに長手方向が沿う中空の略直方形状である。ケースＣは、シャーシ２、このシャーシ２の前面に取り付けられる光学系カバー４、および光学系カバー４の下側でシャーシ２の前面に取り付けられる電源部カバー（カバー）３から構成される。シャーシ２は背壁２１を有し、この背壁２１の取付面２１ａが装置支持部材Ｋ（図１）に当接され、複数のねじ体（図示せず）が背壁２１の複数のねじ孔（図示せず）にそれぞれねじ込まれて装置支持部材Ｋに設置される。
【００２６】
図３に示すように、シャーシ２はその下側に収納空間２２を有する。収納空間２２は開口２２ａを有し、この開口２２ａを電源部カバー３（図２）が覆う。シャーシ２は収納空間２２の上側に別の収納空間（図示せず）であって、光学系カバー４によってその開口が覆われる収納空間を有する。この収納空間には、ＡＩＲのセンサ本体（図示せず）が収納され、随意にデータを無線で送信する送信器（図示せず）も収納される。
【００２７】
収納空間２２は、メイン配線基板となる回路基板２３を収納する。回路基板２３には、装置１の動作に必要な電子部品が搭載されている。回路基板２３の後方に回路基板の電子部品に給電する電池を保持する電池保持部２４が構成されている。収納空間２２は、回路基板２３および電池保持部２４の下側に、タンパ検知用空間部分１０を含む。タンパ検知用空間部分１０については後述する。
【００２８】
光学系カバー４は、上端部の背面に係合爪（図示せず）を有し、下端部に光学系カバー貫通孔４１を有する。図４に示すように、電源部カバー３の背面３１は、上端部の両側方に係合フック３２，３２を有し、下端部に電源部カバー貫通孔３３を有する。電源部カバー３の背面３１には、また、前後方向Ｘにおける後方向Ｘ２に延出したタンパ検知用の規制棒（規制部材）３４が設けられている。規制棒３４は、電源部カバー３と一体に成形されても、別体で固着されていてもよい。
【００２９】
図３に示すように、シャーシ２のタンパ検知用空間部分１０の下側には、ねじ孔２５が形成され、電池保持部２４の上側には、両側方に係合突起２７，２７が設けられている。電源部カバー３（図４）の係合フック３２，３２（図４）がシャーシ２の係合突起２７，２７に係合されてから、ねじ体９１（図２）が、電源部カバー貫通孔３３（図４）を通ってシャーシ２のねじ孔２５にねじ込まれて、シャーシ２に取り付けられる。
【００３０】
図２に示すように、電源部カバー３の上側の端部３５は、電源部カバー３がシャーシ２に取り付けられた状態では、光学系カバー４の光学系カバー貫通孔４１（図３）のほぼ前方に位置し、電源部カバー３が光学系カバー貫通孔４１の少なくとも一部を覆う。このため、光学系カバー４を係止させるねじ体（図示せず）は、電源部カバー３がシャーシ２に取り付けられている状態ではアクセス不可能であり、抜き出されることがない。
【００３１】
光学系カバー４がシャーシ２から取り外されるには電源部カバー３が取り外される必要があるため、光学系カバー４の取外しを検知するタンパスイッチは不要である。すなわち、電源部カバー３の取り外しを検知するカバータンパ検知機能のみによって、光学系カバー４がシャーシ２から取り外される可能性を検知できる。ただし、このように電源部カバー３が光学系カバー４のねじ体（図示せず）を必ずしも覆う必要はない。ただし、その場合には、電源部カバー３と光学系カバー４のそれぞれにタンパ検知機能が設けられる。
【００３２】
次に、タンパ検知用空間部分１０について詳述する。図５に示すように、タンパ検知用空間部分１０は、シャーシ２内に構成されている。シャーシ２は、基板支持部２６を有し、この部分にタンパ検知用基板からなるタンパスイッチ支持部材１１が片持ち式で取り付けられている。タンパスイッチ支持部材１１は、シャーシ２の背壁２１と電源部カバー３の前壁３６と実質的に平行である。シャーシ２には、また、タンパスイッチ支持部材１１に対して実質的に垂直な押圧部材（駆動部材）２７が設けられている。
【００３３】
ＶＩ−ＶＩ線から見たタンパ検知用空間部分１０を図６Ａおよび６Ｂに示す。ただし、図６Ａにおいては、タンパスイッチ支持部材１１および規制棒３４を図示していない。図６Ａにおいて、基板支持部２６は２つの突起２６ａ，２６ａを有する。２つの突起２６ａ，２６ａの間には、ねじ孔２６ｂが形成されている。タンパ検知用空間部分１０の横方向Ｙの中央部には、押圧部材２７が位置する。タンパ検知用空間部分１０の横方向Ｙの基板支持部２６とは反対側に、ばね収納凹部２８が形成されている。
【００３４】
図６Ｂは、図６Ａとは異なり、タンパスイッチ支持部材１１を図示している。タンパスイッチ支持部材１１は横長形状である。タンパスイッチ支持部材１１は、タンパ検知用空間部分１０内において、その長手方向が横方向Ｙに延びるように配置されている。タンパ検知用空間部分１０はタンパスイッチ支持部材１１にほぼ相似する形状を有する。タンパ検知用空間部分１０が横長の形状を有するため、装置１（図３）の上下方向Ｚの寸法は増大しない。
【００３５】
タンパスイッチ支持部材１１の一端部１１ａには横長形状の開口窓１２が形成されている。この開口窓１２に、基板支持部２６の２つの突起２６ａ，２６ａが貫通される（図７）。これら突起２６ａ，２６ａによって、タンパスイッチ支持部材１１の鉛直方向Ｚの動きが規制されるが、横方向Ｙには可動のための遊びがある。開口窓１２に突起２６ａ，２６ａが貫通されてから、ねじ孔２６ｂにねじ体１３がねじ込まれる。そのため、タンパスイッチ支持部材１１の前後方向Ｘの動きも規制されるが、後述するように突起２６ａによって前後方向Ｘの遊びが確保される。タンパスイッチ支持部材１１の他端部１１ｂには、規制棒３４が位置する。規制棒３４は、タンパスイッチ支持部材１１の前方向Ｘ１への移動を規制できるのであれば、いかなる形状であってもよい。例えば、規制棒３４の断面は、四角形状、丸形状または十字形状などであってもよい。規制部材３４は、また、電源カバー３の前壁３６の背面から延びる代わりに、電源カバー３の側壁に設けられた突起であってもよい。
【００３６】
図７に図５の一部を拡大して示すように、タンパスイッチ支持部材１１は、基板支持部２６の突起２６ａ，２６ａの高さだけ前後方向Ｘに移動自在である。タンパスイッチ支持部材１１は、また、開口窓１２の横方向Ｙの幅だけその方向に移動自在である。直交する２方向への移動が可能であるため、タンパスイッチ支持部材１１は、基板支持部２６の突起２６ａ，２６ａの中間位置付近（つまり、タンパスイッチ支持部材１１の一端部１１ａ）を支点として、ＸＹ平面内において前後回動方向Ｒ１，Ｒ２に回動するヒンジ運動が可能である。このようにして、タンパスイッチ５は、前方向Ｘ１および後方向Ｘ２にそれぞれ一定範囲移動自在となる。
【００３７】
タンパスイッチ支持部材１１の一主面（本実施形態では、シャーシ２側の主面１１ｃ）には、タンパスイッチ５が取り付けられている。タンパスイッチ５は作動部５１を有する。タンパスイッチ５は内部回路（図示せず）を含む。作動部５１は、押圧されると押圧力によってタンパスイッチ５内に押し込まれて、その先端が前方向Ｘ１に後退する。作動部５１が押圧されている間、タンパスイッチは非検知状態にされる。押圧力が解除されると作動部５１は復元して、その先端が後方向Ｘ２に進出する。作動部５１が復元するとタンパスイッチが反転されて検知状態になる。タンパスイッチが検知状態になると、内部回路から配線４３を介してタンパ信号が回路基板２３（図３）に出力される。タンパスイッチ５は、押圧部材２７による押圧力が解除されるとタンパ信号を出力ものであれば、その作動部５１はいかなるも形態を有してもよい。ただし、復元力によって元の位置や形状に戻るものが好ましい。作動部５１は、例えば、図１１Ａ〜１３Ｃに示したように、レバーから構成されてもよい。
【００３８】
押圧部材２７が、シャーシ２の背壁２１に設けられた孔２１ｂに挿入されて、装置支持部材Ｋに取り付けられている。本実施形態において、押圧部材２７は、好ましくは、ゴムからなると共に、前後方向Ｘに圧縮されやすい形状を有する。したがって、装置１を装置支持部材Ｋに設置すると、押圧部材２７は、前後方向Ｘの圧縮力が加えられて押しつぶされ、装置１を装置支持部材Ｋから取り外すか、またはタンパスイッチ５が前方向Ｘ１に離反すると、圧縮力が解除されて元の形状に戻る。なお、本実施形態では押圧部材２７はゴムとして示したが、これに限定されるわけではない。ただし、押圧部材２７は、好ましくは弾性体から構成され、さらに好ましくは、ゴムから構成される。
【００３９】
シャーシ２のばね収納部２８には、つるまきばね（補助押圧部材）４５が収納されてもよい。カバー３がシャーシ２に被せられている間、つるまきばね４５は収縮してその復元力により前方向Ｘ１にタンパスイッチ支持部材１１を押圧する。なお、本実施形態では補助押圧部材４５はつるまきばねとして示したが、これに限定されるわけではない。補助押圧部材４５は、好ましくは弾性体から構成され、さらに好ましくは、つるまきばねから構成される。
【００４０】
カバー３がシャーシ２に被せられている間、電源部カバー３（図５）の規制棒３４が、電源部カバー３側からタンパスイッチ支持部材１１に当接する。規制棒３４の前後方向Ｘの長さは、好ましくは、横方向Ｙに延びるタンパスイッチ支持部材１１の電源部カバー３側の主面１１ｄに当接する長さである。ただし、規制棒３４がタンパスイッチ支持部材１１に当接している間、タンパスイッチ支持部材１１は、背壁２１の背面２１ａと平行であっても前回動方向Ｒ１または後回動方向Ｒ２に傾いていてもよい。
【００４１】
カバー３がシャーシ２に被せられている間、作動部５１の復元力によって、タンパスイッチ支持部材１１は前回動方向Ｒ１へヒンジ運動しようとする。また、押圧部材２７およびつるまきばね４５がそれぞれ収縮していると、これらもタンパスイッチ支持部材１１を前回動方向Ｒ１へヒンジ運動させようとする。これに対して、規制棒３４がタンパスイッチ支持部材１１に当接して、前回動方向Ｒ１へのヒンジ運動を規制する。
【００４２】
次に、この装置のタンパ検知時の動作について図８Ａ〜８Ｃを参照して説明する。これに先立って、装置支持部材Ｋへの装置１の取付けについて簡単に説明する。
図８Ａに示すように、シャーシ２の孔２１ｂを介して押圧部材２７がシャーシ２に取り付けられた状態で、装置１が装置支持部材Ｋに取り付けられる。ここで、押圧部材２７が伸縮するため、図示していないが、装置支持部材Ｋとタンパスイッチ５との距離の変動が許容される。
【００４３】
その後、つるまきばね４５がばね収納凹部２８に収納され、タンパスイッチ支持部材１１が基板支持部２６に設けられる。なお、回路基板２３（図３）は、シャーシ２が装置支持部材Ｋに取り付けられるよりも以前にシャーシ２内に取り付けられている。回路基板２３がシャーシ２に設けられているため、施工性に優れる。タンパスイッチ支持部材１１もシャーシ２に設けられるため、回路基板２３との間の配線が施工やメンテナンスの作業の妨げにならない。シャーシ２内の必要な部品が取り付けられて各種の設定が行われた後、電源部カバー３がシャーシ２に被せられる。電源部カバー３の規制棒３４は、タンパスイッチ支持部材１１に当接する。
【００４４】
図８Ｂを参照して、本装置１のカバータンパ検知機能、つまり電源部カバー３が取り外された場合の動作について説明する。電源部カバー３がシャーシ２から取り外されると、規制棒３４がタンパスイッチ支持部材１１から離れる。規制がなくなることで、タンパスイッチ支持部材１１は、前回動方向Ｒ１へヒンジ運動を行う。すなわち、作動部５１の復元力、押圧部材２７の復元力およびつるまきばね２８の押圧力によって、タンパスイッチ支持部材１１が前回動方向Ｒ１に移動する。その一方押圧部材２７は移動しないため、押圧部材２７は作動部５１を押圧しなくなり、タンパスイッチ５が反転されて検知状態になってタンパ信号が出力される。
【００４５】
図８Ｃを参照して、本装置１のウォールタンパ機能、つまり装置１自体が装置支持部材Ｋから取り外された場合の動作について説明する。シャーシ２が装置支持部材Ｋから取り外されると、押圧部材２７が装置支持部材Ｋから圧縮力を受けなくなるので、復元して作動部５１から離れる。その結果、作動部５１は押圧されなくなり、タンパスイッチ５が反転されて検知状態になってタンパ信号が出力される。
【００４６】
以上のように、本実施形態に係るタンパ検知機能付き装置によれば、図７のタンパスイッチ５が前回動方向Ｒ１に少なくとも一定範囲移動自在であるため、規制棒３４による規制がなくなると、タンパスイッチ５が前方向Ｘ１に移動し、その一方押圧部材２７は移動しないため、押圧部材２７が作動部５１を押圧しなくなる。したがって、タンパスイッチ５が１つだけにもかかわらず、ウォールタンパ検知機能に加えてカバータンパ検知機能も兼ね備えられる。また、タンパスイッチ支持部材１１はカバー３ではなくシャーシ２に設けられているため、施工性が損なわれることがなく、配線のための端子台やピンなどが不要である。
【００４７】
なお、タンパスイッチ支持部材１１は、回路基板２３（図３）とは別に設けられるものとしたが、回路基板２３がタンパスイッチ支持部材として機能してもよい。すなわち、回路基板２３にタンパスイッチ５が取り付けられ、ヒンジ運動可能であり、規制部材３４によってそのヒンジ運動が規制されてもよい。
【００４８】
次に、第２の実施形態に係る装置について、図９Ａ〜９Ｃを参照して説明する。なお、本実施形態において、第１の実施形態に関して説明した構成要素と共通する構成要素については、同一の参照符号を付して説明を省略する。
【００４９】
図９Ａに示すように、本実施形態においては、タンパ検知用基板からなるタンパスイッチ支持部材１１のカバー側主面１１ｄに、タンパスイッチ５が取り付けられている。押圧部材２７Ａは電源部カバー３の内面３ａに取り付けられている。なお、本実施形態においても押圧部材２７Ａは好ましくはゴムのような弾性体からなる。シャーシ２の背壁２１の内面２１ｃに、規制棒３４Ａが取り付けられている。シャーシ２の背壁２１は、内面側から切り込まれたノッチ２９によって囲まれた固定部分２ａを含む。ノッチ２９は、固定部分２ａの周囲に連続的または間欠的に形成される。規制棒３４Ａは、固定部分２ａに固定されている。シャーシ２は、ノッチ２９の内側において、複数のねじ体９３で装置支持部材Ｋに強固に取り付けられている。装置１が装置支持部材Ｋから取り外されると、固定部分２ａは装置１から分離して、固定部分２ａおよび規制棒３４Ａは装置支持部材Ｋに固定されたままとなる。
【００５０】
装置１のシャーシ２およびその内部の必要な部品が取り付けられて各種の設定が行われた後、電源部カバー３がシャーシ２に被せられる。これによって、押圧部材２７Ａが作動部５１を押圧する。タンパスイッチ支持部材１１は後回動方向Ｒ２へヒンジ運動しようとするが、シャーシ２の規制棒３４Ａがタンパスイッチ支持部材１１に当接して、このヒンジ運動を規制する。本実施形態において、規制棒３４Ａの前後方向Ｘの長さは、好ましくは、横方向Ｙに延びるタンパスイッチ支持部材１１のシャーシ２側の主面１１ｃに当接する長さである。
【００５１】
図９Ｂを参照して、本装置１のカバータンパ検知機能、つまり電源部カバー３が取り外された場合の動作について説明する。電源部カバー３がシャーシ２から取り外されると、作動部５１を押圧していた押圧部材２７Ａが作動部５１から離れるため、作動部５１は押圧されなくなり、タンパスイッチが反転されて検知状態になってタンパ信号が出力される。
【００５２】
図９Ｃを参照して、本装置１のウォールタンパ機能、つまり装置１自体が装置支持部材Ｋから取り外された場合の動作について説明する。シャーシ２が装置支持部材Ｋから取り外されると、規制棒３４Ａが装置支持部材Ｋに固定されているため、シャーシ２から分離して装置支持部材Ｋに取り付けられたままとなる。規制がなくなることで、タンパスイッチ支持部材１１は、後回動方向Ｒ２へヒンジ運動を行う。すなわち、作動部５１の復元力および押圧部材２７Ａの押圧力によって、タンパスイッチ支持部材１１が後方向Ｘ２に移動する。その一方押圧部材２７Ａは移動しないため、押圧部材２７Ａは作動部５１を強く押圧しなくなり、タンパスイッチ５が反転されて検知状態になってタンパ信号が出力される。
【００５３】
以上のように、本実施形態に係るタンパ検知機能付き装置によれば、タンパスイッチ５が後回動方向Ｒ２に少なくとも一定範囲揺動自在であるため、規制棒３４Ａによる規制がなくなると、タンパスイッチ５が後方向Ｘ２に移動し、その一方押圧部材２７Ａは移動しないため、押圧部材２７Ａが作動部５１を押圧しなくなる。したがって、タンパスイッチ５が１つだけにもかかわらず、カバータンパ検知機能に加えてウォールタンパ検知機能も兼ね備えられる。
【００５４】
なお、本実施形態においても、第１の実施形態と同様に、図９Ａに二点鎖線で示すつるまきばね（補助押圧部材）４５が設けられてもよい。ただし、本実施形態では、電源部カバー３の内面３ａに設けられる。
【００５５】
上記第１および／または第２の実施形態において、ヒンジ運動の支点は、一端部以外、例えばタンパスイッチ支持部材１１の中央部であってもよい。
【００５６】
次に、第３の実施形態に係る装置について、図１０Ａ〜１０Ｃを参照して説明する。なお、本実施形態において、第１および／または第２の実施形態に関して説明した構成要素と共通する構成要素については、同一の参照符号を付して説明を省略する。
【００５７】
図１０Ａに示すように、本実施形態においては、基板支持部２６Ｂが、シャーシ２の横方向Ｙの両端に設けられている。また、本実施形態では、図示しないが、タンパ検知用基板からなるタンパスイッチ支持部材１１Ｂの２つの開口窓は、タンパスイッチ支持部材１１の上下方向Ｚ（図３）の動きのみでなく、横方向Ｙの動きも規制するような寸法を有する。したがって、タンパスイッチ支持部材１１Ｂは、横方向Ｙの移動が実質的に規制され、前後方向Ｘにだけ一定範囲移動自在である。タンパスイッチ５は、第２の実施形態と同様に、タンパスイッチ支持部材１１Ｂのカバー側主面１１ｄに取り付けられている。本実施形態において、押圧部材２７Ｂは非弾性体から構成されるものとする。ただし、押圧部材２７Ｂは、弾性体から構成されてもよい。シャーシ２の背壁２１の内面２１ｃに、規制ばね（規制部材）３４Ｂが取り付けられている。規制ばね３４Ｂは、つるまきばねから構成される。ただし、規制部材３４は、ばねを含む弾性体に限定されるわけではなく、非弾性体から構成されてもよい。
【００５８】
押圧部材２７Ｂが取り付けられた状態で、シャーシ２が装置支持部材Ｋに取り付けられる。シャーシ２内の必要な部品が取り付けられて各種の設定が行われた後、電源部カバー３がシャーシ２に被せられる。これによって、押圧部材２７Ｂが作動部５１を押圧する。タンパスイッチ支持部材１１Ｂは後方向Ｘ２へ直線運動しようとするが、シャーシ２の規制ばね３４Ｂがタンパスイッチ支持部材１１Ｂに当接して、この直線運動を規制する。本実施形態では、規制ばね３４Ｂは前後方向Ｘに伸縮自在であるため、特定の長さを有さなくてもよく、少なくとも、カバー３がシャーシ２に被せられている間タンパスイッチ支持部材１１Ｂのシャーシ２側の主面１１ｃに当接できる長さを有すればよい。また、電源部カバー３がシャーシ２に被せられた状態において、規制ばね３４Ｂは、作動部５１をタンパスイッチ５に押し込むだけの押圧力を発揮する。
【００５９】
図１０Ｂを参照して、本装置１のカバータンパ検知機能、つまり電源部カバー３が取り外された場合の動作について説明する。電源部カバー３がシャーシ２から取り外されると、作動部５１を押圧していた押圧部材２７Ｂが作動部５１から離れるため、作動部５１は押圧されなくなり、タンパスイッチが反転されて検知状態になってタンパ信号が出力される。
【００６０】
図１０Ｃを参照して、本装置１のウォールタンパ機能、つまり装置１自体が装置支持部材Ｋから取り外された場合の動作について説明する。シャーシ２が装置支持部材Ｋから取り外されると、規制ばね３４Ｂがシャーシ２の固定部分２ａに取り付けられているため、シャーシ２から分離して装置支持部材Ｋに取り付けられたままとなる。規制がなくなることで、タンパスイッチ支持部材１１Ｂは、後方向Ｘ２へ直線運動を行う。すなわち、作動部５１の復元力によって、タンパスイッチ支持部材１１Ｂが突起２６ａに沿って後方向Ｘ２に移動する。その一方押圧部材２７Ｂは移動しないため、押圧部材２７Ｂは作動部５１を押圧しなくなり、タンパスイッチが反転されて検知状態になってタンパ信号が出力される。
【００６１】
以上のように、本実施形態に係るンパ検知機能付き装置によれば、タンパスイッチ５が後方向Ｘ２に少なくとも一定範囲移動自在であるため、規制ばね３４Ｂによる規制がなくなると、タンパスイッチ５が後方向Ｘ２に移動し、その一方押圧部材２７Ｂは移動しないため、押圧部材２７Ｂが作動部５１を押圧しなくなる。したがって、タンパスイッチ５が１つだけにもかかわらず、カバータンパ検知機能に加えてウォールタンパ検知機能も兼ね備えられる。
【００６２】
本発明は、以上の実施形態に限定されるものでなく、本発明の要旨を逸脱しない範囲内で、種々の追加、変更または削除が可能である。
【００６３】
各実施形態の構成要素は、任意に組み合わされてもよい。例えば、タンパスイッチ５のタンパスイッチ支持部材１１における配置、押圧部材２７の形態、補助押圧部材４５の有無、および規制部材３４の形態は、第１〜第３の実施形態におけるそれぞれのものが任意に組み合わされてもよい。
【００６４】
また、各実施形態において、タンパスイッチ５はタンパスイッチ支持部材１１（１１Ｂ）の横方向Ｙにおける中央部に位置するものとして示したが、いかなる位置に取り付けられてもよい。ただし、第１および第２の実施形態のようにタンパスイッチ支持部材１１がヒンジ運動する場合、ヒンジ運動の支点から離れた箇所に設けられるのが好ましい。
【００６５】
さらに、駆動部材２７（２７Ａ，２７Ｂ）は押圧部材でなくてもよい。例えば、駆動部材は、作動部５１を一方向から接触してタンパスイッチ５を非検知状態にし、作動部５１に対して非接触になることで、タンパスイッチ５が反転されて検知状態になってもよい。ただし、この場合、タンパスイッチの一方向への移動を促進するために、タンパスイッチ支持部材１１を一方向に押圧する補助押圧部材４５が設けられるのが好ましい。
【００６６】
さらに、第１および第２の実施形態において説明したヒンジ運動ならびに第３の実施形態において説明した並進移動は、いかなる機構によって達成されてもよい。すなわち、タンパスイッチ支持部材１１の開口窓１２、突起２６ａ，２６ａおよびねじ体１３によってタンパスイッチ支持部材１１が一定範囲移動自在であるものとしたが、別の機構であってもよい。例えば、ねじ体の代わりにスナップを孔に嵌め込むものであってもよい。
【００６７】
さらに、本装置は、防犯センサ以外の装置であってもよい。カバータンパ検知機能およびウォールタンパ検知機能を必要とする装置であれば、いかなる装置に対しても適用可能である。
【符号の説明】
【００６８】
１                          タンパ検知機能付き装置
２                          シャーシ
３                          カバー
５                          タンパスイッチ
１１                        タンパスイッチ支持部材
２２                        収納空間
２２ａ                      開口
２３                        回路基板
２７（２７Ａ，２７Ｂ）      駆動部材
３４（３４Ａ，３４Ｂ）      規制部材
５１                        作動部
Ｋ                          装置支持部材
Ｘ１，Ｘ２                  一方向
【図１】
2017194920.tif 000003
【図２】
2017194920.tif 000004
【図３】
2017194920.tif 000005
【図４】
2017194920.tif 000006
【図５】
2017194920.tif 000007
【図６Ａ】
2017194920.tif 000008
【図６Ｂ】
2017194920.tif 000009
【図７】
2017194920.tif 000010
【図８Ａ】
2017194920.tif 000011
【図８Ｂ】
2017194920.tif 000012
【図８Ｃ】
2017194920.tif 000013
【図９Ａ】
2017194920.tif 000014
【図９Ｂ】
2017194920.tif 000015
【図９Ｃ】
2017194920.tif 000016
【図１０Ａ】
2017194920.tif 000017
【図１０Ｂ】
2017194920.tif 000018
【図１０Ｃ】
2017194920.tif 000019
【図１１Ａ】
2017194920.tif 000020
【図１１Ｂ】
2017194920.tif 000021
【図１１Ｃ】
2017194920.tif 000022
【図１２Ａ】
2017194920.tif 000023
【図１２Ｂ】
2017194920.tif 000024
【図１２Ｃ】
2017194920.tif 000025
【図１３Ａ】
2017194920.tif 000026
【図１３Ｂ】
2017194920.tif 000027
【図１３Ｃ】
2017194920.tif 000028